(57)【要約】【課題】  携帯端末装置を用いて、ＴＶ受像器の録画予約を容易に行うことが出来る録画予約システムを提供する。【解決手段】  録画予約支援サーバ３０は、携帯端末装置１０の録画機器８０の型式を指定した手順書要求に応答して、録画機器８０の型式と録画機器８０の型式毎に定まる予約手順を記述した予約手順ファイルとを対比して記憶するデータベースを参照して、手順書要求の録画機器８０の型式に対応する手順書であって、録画予約する対象番組情報を挿入するためのボックスを画面上に表示する予約手順書を生成する予約手順書生成手段と、予約手順書を手順書要求を送信した携帯端末装置１０に送信する通信手段とを備える。携帯端末装置１０は、撮像装置と、撮像装置で撮像されたＧコードをテキストファイルに変換する変換手段と、予約手順書のボックス内に変換されたＧコードを挿入する入力手段と、挿入されたＧコードを有する予約手順書をデータ赤外光に変換して録画機器８０に送信する赤外光発生装置とを備える。【選択図】  図１
2006222881.tif 000002
【特許請求の範囲】
【請求項１】
ＴＶ受像器と、携帯端末装置と、サーバと、前記携帯端末装置とサーバとを接続する通信回線とを備えるＴＶ録画予約システムであって、
前記サーバは、前記携帯端末装置のＴＶ受像器の型式を指定した手順書要求に応答して、ＴＶ受像器の型式と該ＴＶ受像器の型式毎に定まる予約手順を記述した予約手順ファイルとを対比して記憶するデータベースを参照して、前記手順書要求のＴＶ受像器の型式に対応する手順書であって、録画予約する対象番組情報を挿入するためのボックスを画面上に表示する予約手順書を生成する予約手順書生成手段と、該予約手順書を前記手順書要求を送信した携帯端末装置に送信する通信手段とを備え、
前記携帯端末装置は、撮像装置と、該撮像装置で撮像された番組予約コードをテキストファイルに変換する変換手段と、前記予約手順書のボックス内に前記変換された番組予約コードを挿入する入力手段と、該挿入された番組予約コードを有する予約手順書を光信号に変換して前記ＴＶ受像器に送信する光信号発生装置とを備え、
前記ＴＶ受像器は、前記光信号を受光する受光部と、該受光部からの信号を受信して前記予約手順書に従う録画予約を設定する録画予約設定部とを備えることを特徴とする録画予約システム。
【請求項２】
前記データベースは、ＴＶ受像器のメーカ及び該メーカが製造するＴＶ受像器の型式一覧表を更に備え、前記通信手段は、前記携帯端末装置の一覧表送信要求に応答して前記型式一覧表を送信し、前記予約手順書生成手段は、前記携帯端末装置による前記型式一覧表における１つの型式の選択に応答して前記予約手順書を生成する、請求項１に記載の録画予約システム。
【請求項３】
携帯端末装置と通信回線を介して接続されるサーバを備えるＴＶ録画予約サービスシステムであって、
前記サーバは、
ＴＶ受像器のメーカ及び該メーカが製造するＴＶ受像器の型式一覧表と、ＴＶ受像器の型式と該ＴＶ受像器の型式毎に定まる予約手順を記述した予約手順ファイルとを対比した予約手順書一覧表とを記憶するデータベースと、
携帯端末装置からの型式一覧表送信要求に応答して前記型式一覧表を送信する型式一覧表送信部と、
ＴＶ受像器の型式を指定した手順書要求に応答して、該手順書要求のＴＶ受像器の型式に対応する手順書であって、録画予約する対象番組情報を挿入するためのボックスを画面上に表示する予約手順書を生成する予約手順書生成手段と、
前記予約手順書を前記手順書要求を送信した携帯端末装置に送信する手順書送信手段とを備えることを特徴とする録画予約サービスシステム。
【請求項４】
撮像装置を備えた携帯通信端末装置であって、
ＴＶ受像器の型式と該ＴＶ受像器の型式毎に定まる予約手順を記述した予約手順ファイルとを対比して記憶するデータベースを参照して、前記手順書要求のＴＶ受像器の型式に対応する手順書であって、録画予約する対象番組情報を挿入するためのボックスを有する予約手順書を生成する予約手順書生成手段と、
前記撮像装置で撮像された番組予約コードをテキストファイルに変換する変換手段と、
前記予約手順書のボックス内に、前記変換された番組予約コードを挿入する挿入手段と、
前記挿入された番組予約コードを有する予約手順書を光信号に変換して前記ＴＶ受像器の受光部に送信する光信号発生装置とを備え、録画したい番組をＴＶ受像器の受光部を介して予約することを特徴とする携帯通信端末装置。
【発明の詳細な説明】
【技術分野】
【０００１】
本発明は、録画予約システム及び録画予約サービスシステムに関し、更に詳細には、録画機能を有するＴＶ受像器の録画予約を行う録画予約システム及び録画予約サービスシステムに関する。
【背景技術】
【０００２】
ＴＶ信号を受像して録画を行う、ＶＴＲ（Video Tape Recorder）やＤＶＤ（Digital Video Disc）等の録画機器では、一般的に、赤外線通信機能を有するリモコンを用いて録画機器の録画予約を行うことが出来る。しかし、リモコンを用いて録画予約を行う際には、録画チャンネル、録画日時、録画開始時刻、及び録画終了時刻等といった複数の録画情報の入力を行う必要があり、多くの手間が必要となる問題があった。
【０００３】
上記問題に対して、特許文献１は、携帯端末装置を用いてＴＶ受像器の録画予約を行う録画予約システムを記載している。同文献によれば、放送が予定されている各番組の番組情報を記憶するサーバを、通信ネットワークに接続して設置する。番組情報は、放送チャンネル、放送日時、放送開始時刻、及び放送終了時刻等の情報である。録画予約を行う個人は、携帯端末装置を用いて、サーバから録画予約を行う番組の番組情報を受信する。また、録画予約を行うＴＶ受像器の赤外線通信コードを、通信ネットワーク等を介して受信し、携帯端末装置に記憶する。携帯端末装置に記憶させた赤外線通信コードを用い、サーバから受信した番組情報に基づいて、ＴＶ受像器の録画予約を行うものとしている。
【特許文献１】特開２００１−３０９２８８号公報
【発明の開示】
【発明が解決しようとする課題】
【０００４】
特許文献１の録画予約システムでは、サーバから取得した番組情報を用いてＴＶ受像器の録画予約が出来るので、様々な録画情報の入力を行う手間を省くことが出来る。しかし、サーバからの番組情報の取得に際して、サーバから番組表を受信して自己が希望する番組を探し出す必要がある。また、ＴＶ受像器によっては、ＴＶ受像器の予約に際して、ＴＶ受像器が要求する録画予約手順に従って携帯端末装置のキー操作を行い、データ赤外光を送信する必要がある。このような操作に不慣れなユーザには、録画予約はやはり困難であった。従って、携帯端末装置を用いたＴＶ受像器の録画予約をより容易に行える技術が要望されている。
【０００５】
本発明は、上記に鑑み、携帯端末装置を用いて、ＴＶ受像器の録画予約を容易に行うことが出来る録画予約システム及び録画予約サービスシステムを提供すること目的とする。また、そのような録画予約が可能な携帯通信端末装置を提供することを目的とする。
【課題を解決するための手段】
【０００６】
上記目的を達成するために、本発明に係る録画予約システムは、ＴＶ受像器と、携帯端末装置と、サーバと、前記携帯端末装置とサーバとを接続する通信回線とを備えるＴＶ録画予約システムであって、
前記サーバは、前記携帯端末装置のＴＶ受像器の型式を指定した手順書要求に応答して、ＴＶ受像器の型式と該ＴＶ受像器の型式毎に定まる予約手順を記述した予約手順ファイルとを対比して記憶するデータベースを参照して、前記手順書要求のＴＶ受像器の型式に対応する手順書であって、録画予約する対象番組情報を挿入するためのボックスを画面上に表示する予約手順書を生成する予約手順書生成手段と、該予約手順書を前記手順書要求を送信した携帯端末装置に送信する通信手段とを備え、
前記携帯端末装置は、撮像装置と、該撮像装置で撮像された番組予約コードをテキストファイルに変換する変換手段と、前記予約手順書のボックス内に前記変換された番組予約コードを挿入する入力手段と、該挿入された番組予約コードを有する予約手順書を光信号に変換して前記ＴＶ受像器に送信する光信号発生装置とを備え、
前記ＴＶ受像器は、前記光信号を受光する受光部と、該受光部からの信号を受信して前記予約手順書に従う録画予約を設定する録画予約設定部とを備えることを特徴とする。
【０００７】
本発明に係る録画予約サービスシステムは、携帯端末装置と通信回線を介して接続されるサーバを備えるＴＶ録画予約サービスシステムであって、
前記サーバは、
ＴＶ受像器のメーカ及び該メーカが製造するＴＶ受像器の型式一覧表と、ＴＶ受像器の型式と該ＴＶ受像器の型式毎に定まる予約手順を記述した予約手順ファイルとを対比した予約手順書一覧表とを記憶するデータベースと、
携帯端末装置からの型式一覧表送信要求に応答して前記型式一覧表を送信する型式一覧表送信部と、
ＴＶ受像器の型式を指定した手順書要求に応答して、該手順書要求のＴＶ受像器の型式に対応する手順書であって、録画予約する対象番組情報を挿入するためのボックスを画面上に表示する予約手順書を生成する予約手順書生成手段と、
前記予約手順書を前記手順書要求を送信した携帯端末装置に送信する手順書送信手段とを備えることを特徴とする。
【０００８】
本発明に係る携帯通信端末装置は、撮像装置を備えた携帯通信端末装置であって、
ＴＶ受像器の型式と該ＴＶ受像器の型式毎に定まる予約手順を記述した予約手順ファイルとを対比して記憶するデータベースを参照して、前記手順書要求のＴＶ受像器の型式に対応する手順書であって、録画予約する対象番組情報を挿入するためのボックスを有する予約手順書を生成する予約手順書生成手段と、
前記撮像装置で撮像された番組予約コードをテキストファイルに変換する変換手段と、
前記予約手順書のボックス内に、前記変換された番組予約コードを挿入する挿入手段と、
前記挿入された番組予約コードを有する予約手順書を光信号に変換して前記ＴＶ受像器の受光部に送信する光信号発生装置とを備え、録画したい番組をＴＶ受像器の受光部を介して予約することを特徴とする。
【発明の効果】
【０００９】
本発明の録画予約システム及び録画予約サービスシステムによれば、携帯端末装置が、その撮像装置で撮像した番組予約コードをテキストファイルに変換することによって、対象番組情報を容易に取得することが出来る。また、携帯端末装置が、サーバから受信した予約手順書のボックス内に、テキストファイルに変換された番組予約コードを挿入して、ＴＶ受像器に光信号として送信することによって、ＴＶ受像器の録画予約を行うことが出来る。この場合、特許文献１の録画予約システムで必要な、録画情報の入力や、録画予約手順に従ったデータ赤外光の送信を行う必要がない。従って、携帯端末装置を用いたＴＶ受像器の録画予約をより容易に行うことが出来る。
【００１０】
本発明の録画予約システムの好適な実施態様では、前記データベースは、ＴＶ受像器のメーカ及び該メーカが製造するＴＶ受像器の型式一覧表を更に備え、前記通信手段は、前記携帯端末装置の一覧表送信要求に応答して前記型式一覧表を送信し、前記予約手順書生成手段は、前記携帯端末装置による前記型式一覧表における１つの型式の選択に応答して前記予約手順書を生成する。１つの携帯端末装置を用いて、様々な型式のＴＶ受像器の録画予約を行うことが出来る。
【００１１】
本発明の携帯通信端末装置によれば、携帯通信端末装置が、上記予約手順書を生成する予約手順書生成手段を備えることによって、本発明の録画予約システム又は本発明の録画予約サービスシステムと同様の効果を得ることが出来る。
【発明を実施するための最良の形態】
【００１２】
以下、図面を参照し、本発明に係る実施形態に基づいて本発明を更に詳細に説明する。図１に、本発明の一実施形態に係る録画予約システムの構成を示す。録画予約システム１００は、個人１が使用する携帯端末装置１０、録画予約支援センタ３に設置された録画予約支援サーバ３０、及び、携帯端末装置１０と録画予約支援サーバ３０との間を相互に接続する通信ネットワーク５０とを備える。通信ネットワーク５０は、携帯端末装置１０と接続される無線通信網と、この無線通信網に接続されたインターネットとから構成されている。
【００１３】
録画機器８０は、ＴＶ信号を受像して録画可能なＶＴＲやＤＶＤとして構成され、赤外光を受光する受光部８１と、受光部８１からの信号を受信して予約手順書に従う録画予約を設定する機能を有する録画予約設定部８２とを備える。
【００１４】
図２（ａ）に、携帯端末装置を構成するハードウエアを示す。携帯端末装置１０は、携帯電話端末として構成され、ＣＰＵ１１、記憶装置１２、入力装置１３、表示装置１４、通信ネットワーク５０に接続された無線通信装置１５、赤外線通信装置１６、撮像装置１７、及びデータベース１８を備える。これらのハードウエアはバスを介して相互に接続されている。
【００１５】
入力装置１３は、図６に示すように、電源キー６１、数字キー６２、読取キー６３、送信キー６４、ＳＰ／ＥＰキー６５、及び設定キー６６等の各種の操作キーを備える。表示装置１４は、液晶表示画面を備え、画面上にテキストファイルや撮像装置１７で撮像された画像を表示させることが出来る。また、通信ネットワーク５０を介して受信した情報を表示させることが出来る。無線通信装置１５は、アンテナを備え、通信ネットワーク５０を介して、他の携帯端末装置やサーバとの通信を行う機能を有する。赤外線通信装置１６は、赤外線通信ポートを備え、録画機器や他の携帯端末装置等との間で赤外光を用いてデータの送受信を行う機能を有する。撮像装置１７は電子カメラを備える。
【００１６】
図２（ｂ）に、携帯端末装置の機能をブロック図として示す。携帯端末装置１０は、制御手段２１、文字情報認識手段２２、及び手順書挿入手段２３を備える。文字情報認識手段２２は、画像情報の解析を行い、画像情報に含まれる文字をテキストファイルに変換することが出来る。手順書挿入手段２３は、録画予約支援サーバ３０から受信した予約手順書のボックスに、テキストファイルに変換されたＧコードや、録画モード情報を挿入することが出来る。制御手段２１は、赤外線通信装置１６を介して、通信コードデータ４５に記録されている赤外線通信コードに従って、予約手順書を録画機器８０に向けて赤外線送信することが出来る。
【００１７】
録画予約支援サーバ３０は、録画予約支援センタ３の担当者により使用され、ワークステーション等の情報処理装置によって構成される。図３に、録画予約支援サーバの構成を示す。録画予約支援サーバ３０は、制御手段（予約手順書生成手段）３１、録画予約データベース３２、及び通信ネットワーク５０に接続された通信装置３３を備える。図４に、図３の録画予約支援サーバにおける録画予約データベースの構成を示す。録画予約データベース３２には、メーカ一覧表４１、型式一覧表４２（４２Ａ，４２Ｂ，・・・）、及び型式別フォルダ４３（４３Ａ，４３Ｂ，・・・）が格納される。
【００１８】
メーカ一覧表４１には、録画機器を製造するメーカの一覧が記録される。型式一覧表４２は、メーカ一覧表４１に記録された各メーカにリンクしてメーカ毎に作成され、各型式一覧表４２には、メーカ毎に各メーカが製造する録画機器の一覧が記録される。型式別フォルダ４３は、型式一覧表４２の各録画機器にリンクして録画機器毎に作成され、各型式別フォルダ４３には、対応する録画機器の録画予約データ４４が格納されている。
【００１９】
録画予約データ４４は、更に、通信コードデータ４５及び予約手順データ４６から成る。通信コードデータ４５は、各録画機器の赤外線通信コードを記録したデータである。予約手順データ４６は、各録画機器について、リモコンを用いて録画予約を行う際の予約手順を記録したデータであり、録画チャンネル、録画日時、録画開始時刻、録画終了時刻、及び録画モード等の情報の入力手順が記録されている。予約手順データ４６は、例えばＸＭＬ（eXtensible Markup Language）などの言語を用いて記載される。
【００２０】
制御手段３１は、携帯端末装置１０の要求に応じ、携帯端末装置１０が指定した録画機器の型式に対応する型式別フォルダ４３（４３Ａ，４３Ｂ，・・・）から、通信コードデータ４５及び予約手順データ４６を抽出する。また、抽出した予約手順データ４６にテキストファイルに変換されたＧコードや、録画モード情報を挿入するためのボックスを加えて、予約手順書を生成する。更に、抽出した通信コードデータ４５及び生成した予約手順書を、無線通信装置１５を介して携帯端末装置１０に送信する。
【００２１】
図５に、図１の録画予約システム１００を用いた録画予約方法の手順を示す。先ず、個人１が録画予約を希望する録画機器８０の通信コードデータ４５及び予約手順書を、録画予約支援サーバ３０から携帯端末装置１０にダウンロードする。このダウンロードは、先ず、個人１が、携帯端末装置１０の設定キー６６を押し下げることによって、携帯端末装置１０の制御手段２１が、通信ネットワーク５０を介して録画予約支援サーバ３０に通信コードデータ４５及び予約手順書の取得を要求する旨の情報を送信する（ステップＳ１）。録画予約支援サーバ３０は、携帯端末装置１０から通信コードデータ４５及び予約手順書の取得を要求する旨の情報を受信する（ステップＳ２）。
【００２２】
次いで、録画予約支援サーバ３０の制御手段３１は、録画予約データベース３２のメーカ一覧表４１を参照し、録画機器を製造するメーカの名称一覧情報を、通信ネットワーク５０を介して携帯端末装置１０に送信する（ステップＳ３）。携帯端末装置１０は、メーカの名称一覧情報を受信し、図８（ａ）に示すように画面７１上に表示する（ステップＳ４）。次いで、個人１が、録画予約を希望する録画機器８０のメーカの名称を画面上で選択し、確定ボタン７５を押し下げることによって、携帯端末装置１０の制御手段２１は、上記メーカの名称情報を、通信ネットワーク５０を介して録画予約支援サーバ３０に送信する（ステップＳ５）。録画予約支援サーバ３０は、携帯端末装置１０からメーカの名称情報を受信する（ステップＳ６）。
【００２３】
次いで、録画機器支援サーバ３０の制御手段３１が、メーカの名称情報で指定されたメーカに対応する型式一覧表４２を参照し、そのメーカが製造した録画機器の型式一覧情報を、通信ネットワーク５０を介して携帯端末装置１０に送信する（ステップＳ７）。携帯端末装置１０は、録画機器の型式一覧情報を受信し、図８（ｂ）に示すように画面７１上に表示する（ステップＳ８）。次いで、個人１が、録画予約を希望する録画機器８０の型式を画面上で選択し、確定ボタン７５を押し下げることによって、携帯端末装置１０の制御手段２１は、録画機器８０の型式情報を、通信ネットワーク５０を介して録画予約支援サーバ３０に送信する（ステップＳ９）。録画予約支援サーバ３０は、携帯端末装置１０から録画機器の型式情報を受信する（ステップＳ１０）。
【００２４】
引き続き、録画機器支援サーバ３０の制御手段３１が、録画機器の型式情報で指定された録画機器の型式に対応する型式別フォルダ４３（４３Ａ，４３Ｂ，・・・）から、通信コードデータ４５及び予約手順データ４６を抽出する。また、抽出した予約手順データ４６にテキストファイルに変換されたＧコードや、録画モード情報を挿入するためのボックスを加えて、予約手順書を生成する。更に、抽出した通信コードデータ４５及び生成した予約手順書を、通信ネットワーク５０を介して携帯端末装置１０に送信する（ステップＳ１１）。
【００２５】
携帯端末装置１０は、通信コードデータ４５及び予約手順書を受信し、携帯端末装置１０の制御手段２１が、携帯端末装置１０のデータベース１８に格納する（ステップＳ１２）ことによって、通信コードデータ４５及び予約手順書のダウンロードを終了する。
【００２６】
次いで、個人１は、撮像装置１７を用いて、録画を希望する番組について、新聞や雑誌等の紙面上に記載されているＧコードを撮像する（ステップＳ１３）。Ｇコードの撮像に際しては、先ず読取キー６３を押し下げることによって携帯端末装置１０の撮像装置１７を起動させ、携帯端末装置１０を撮像可能な状態にする。次いで、図７に示すように、液晶表示画面７１の指示枠７３内に紙面上のＧコード７２を表示させ、この状態で確定ボタン７５を押し下げることによって行うことが出来る。
【００２７】
次いで、文字情報認識手段２２が、画像情報として撮像されたＧコードをテキストファイルに変換する（ステップＳ１４）。テキストファイルに変換されたＧコードは、記憶装置１１に記憶されると共に、表示欄７４に表示される。引き続き、個人１が、ＳＰ／ＥＰキー６５を操作することによって、ＳＰモード又はＥＰモード等の録画モードが選択され、選択された録画モード情報が、記憶装置１１に記憶される（ステップＳ１５）。
【００２８】
次いで、個人１が、携帯端末装置１０の赤外線通信ポートを録画機器の方向へ向けて、送信キー６４を押し下げる。これによって、制御手段２１が、データベース１８に格納されている録画機器の通信コードデータ４５及び予約手順書を読み出す（ステップＳ１６）。引き続き、手順書挿入手段２３が、記憶装置１１に記憶され、テキストファイルに変換されたＧコードと録画モード情報とを、それぞれ予約手順書のボックスに挿入する（ステップＳ１７）。
【００２９】
次いで、制御手段２１が、携帯端末装置１０の赤外線通信装置１６を起動させる（ステップＳ１８）。引き続き、制御手段２１が、赤外線通信装置１６を介して、通信コードデータ４５に記録されている赤外線通信コードに従って、予約手順書を録画機器８０に向けて赤外線送信する。予約手順書を受信した録画機器８０では、録画予約設定部８２が、予約手順書に従って録画機器８０の録画予約を行う（ステップＳ１９）。所望の型式の録画機器に対応する通信コードデータ４５及び予約手順書をダウンロードした後には、同じ型式の録画機器の録画予約に際して、ステップＳ１３〜ステップＳ１９を繰り返す。
【００３０】
本実施形態の録画予約システムによれば、携帯端末装置１０が、その撮像手段１７で撮像したＧコードをテキストファイルに変換することによって、録画予約を行う番組の番組情報を容易に取得することが出来る。また、携帯端末装置１０が、予約手順書のボックス内にテキストファイルに変換されたＧコードを挿入し、通信コードデータ４５に記録されている赤外線通信コードに従って、録画機器８０に赤外線送信することによって、録画機器８０の録画予約を行うことが出来る。更に、録画予約支援サーバ３０が、様々な型式の録画機器の録画予約データ４４を格納することによって、携帯端末装置１０を用いて、様々な型式の録画機器の録画予約を行うことが出来る。
【００３１】
なお、本実施形態では、Ｇコードを文字から読み取るものとしたが、Ｇコードをバーコードから読み取るものとしても構わない。また、Ｇコードに限らず、同様な録画予約コードでもよい。上記実施形態の変形例では、携帯端末装置１０は、図２（ｂ）の文字情報認識手段２２に代えて、撮像装置１７によって撮像されたバーコードを含む画像の解析を行い、テキストファイルに変換するバーコード情報読取手段を備える。本変形例で、録画機器の録画予約を行う際には、ステップＳ１３で、撮像装置１７はバーコードを撮像し、ステップＳ１４では、バーコード情報読取手段が、撮像された画像を解析することによって、テキストファイルに変換する。バーコードの読み取りに際しては、撮像装置１７の撮像に代えて赤外線通信装置１６等を用いて読み取るものとしても構わない。更に、録画予約支援サーバ３０を持たず、携帯端末装置１０が単に、同様なデータベースを参照して、自身が予約手順書を生成することも可能である。
【００３２】
以上、本発明をその好適な実施形態に基づいて説明したが、本発明に係る録画予約システム及び録画予約サービスシステムは、上記実施形態の構成にのみ限定されるものではなく、上記実施形態の構成から種々の修正及び変更を施した録画予約システム及び録画予約サービスシステムも、本発明の範囲に含まれる。
【図面の簡単な説明】
【００３３】
【図１】本発明の一実施形態に係る録画予約システムの構成を示すブロック図である。
【図２】図２（ａ）は、図１の携帯端末装置を構成するハードウエアを示すブロック図であり、図２（ｂ）は、図１の携帯端末装置の機能を示すブロック図である。
【図３】図１の録画予約支援システムにおける録画予約支援サーバの構成を示すブロック図である。
【図４】図３の録画予約支援サーバにおける録画予約データベースの構成を示すブロック図である。
【図５】図１の録画予約システムを用いた録画予約方法の手順を示すフローチャートである。
【図６】携帯端末装置の入力装置における入力キーの構成を示す図である。
【図７】紙面上のＧコードを読み取る際の、携帯端末装置の液晶表示画面の表示を示す図である。
【図８】図８（ａ）、（ｂ）は、メーカの名称一覧情報、及び録画機器の型式一覧情報が表示された携帯端末装置の液晶表示画面をそれぞれ示す図である。
【符号の説明】
【００３４】
１：個人
３：録画予約支援センタ
１０：携帯端末装置
１１：ＣＰＵ
１２：記憶装置
１３：入力装置
１４：表示装置
１５：無線通信装置
１６：赤外線通信装置
１７：撮像装置
１８：データベース
２１：制御手段
２２：文字情報認識手段
２３：手順書挿入手段
３０：録画予約支援サーバ
３１：制御手段
３２：録画予約データベース
３３：通信装置
４１：メーカ一覧表
４２，４２Ａ，４２Ｂ：型式一覧表
４３，４３Ａ，４３Ｂ，４３Ｃ，４３Ｄ：型式別フォルダ
４４：録画予約データ
４５：通信コードデータ
４６：予約手順データ
５０：通信ネットワーク
６１：電源キー
６２：数字キー
６３：読取キー
６４：送信キー
６５：ＳＰ／ＥＰキー
６６：設定キー
７１：液晶表示画面
７２：Ｇコード
７３：指示枠
７４：表示欄
７５：確定ボタン
８０：録画機器
８１：受光部
８２：録画予約設定部
１００：録画予約システム
【図１】
2006222881.tif 000003
【図２】
2006222881.tif 000004
【図３】
2006222881.tif 000005
【図４】
2006222881.tif 000006
【図５】
2006222881.tif 000007
【図６】
2006222881.tif 000008
【図７】
2006222881.tif 000009
【図８】
2006222881.tif 000010